(57)【要約】      （修正有）【課題】患者の資産情報に基づいた治療方法の候補を選定する【解決手段】治療方法選定装置１００は、情報取得部１１０により、クレジット一体型診察券であるＩＣカードから取得した情報に基き、クレジットの利用履歴，資産残高，加入している保険の内容，保障可能な治療方法，保証額等の患者の資産情報を取得し、情報取得部１１０が取得した資産情報に基づいて、制御部１６０で治療方法の候補を選定し、制御部１６０が選定した治療方法の候補を表示部１３０に表示する。【選択図】図７
2017151600.tif 000002
【特許請求の範囲】
【請求項１】
患者の資産情報を取得する情報取得部と、
前記情報取得部が取得した前記資産情報に基づいて治療方法の候補を選定する制御部と、
を備えることを特徴とする情報処理装置。
【請求項２】
前記資産情報は、預金残高であり、
前記制御部は、前記預金残高と所定の閾値を比較することで前記治療方法の候補を選定する、請求項１に記載の情報処理装置。
【請求項３】
前記情報取得部は、前記患者の家族構成情報をさらに取得し、
前記制御部は、前記家族構成情報を元に前記閾値を設定し、前記預金残高と前記閾値を比較することで前記治療方法の候補を選定する、請求項２に記載の情報処理装置。
【請求項４】
前記情報取得部は、クレジットカードの利用情報をさらに取得し、
前記制御部は、前記クレジットカードの利用情報を元に前記閾値を設定し、前記預金残高と前記閾値を比較することで前記治療方法の候補を選定する、請求項２又は３に記載の情報処理装置。
【請求項５】
前記情報取得部は、前記患者が加入している保険と、前記保険が適用可能な治療方法が含まれる保険情報をさらに取得し、
前記制御部は、前記保険情報に基づいて前記治療方法の候補を選定する、請求項１から４のいずれか１項に記載の情報処理装置。
【請求項６】
前記情報取得部は、被験者を募集している治験および前記治験への参加条件が含まれる治験情報をさらに取得し、
前記制御部は、前記治験情報に基づいて前記治療方法の候補を選定する、請求項１から５のいずれか１項に記載の情報処理装置。
【請求項７】
前記情報取得部は、治療方法リストをさらに取得し、
前記制御部は、前記治療方法リストに基づいて前記治療方法の候補を選定する、請求項１から６のいずれか１項に記載の情報処理装置。
【請求項８】
前記制御部は、複数の前記治療方法の候補を選定する、請求項１から７のいずれか１項に記載の情報処理装置。
【請求項９】
前記制御部は、前記治療方法の候補毎に優先度を算出する、請求項８に記載の情報処理装置。
【請求項１０】
前記制御部は、前記治療方法リストに記載されている治療方法毎に優先度を算出する、請求項７に記載の情報処理装置。
【請求項１１】
前記制御部は、１個の前記治療方法の候補を選定する、請求項１から７のいずれか１項に記載の情報処理装置。
【請求項１２】
ＩＣカードに登録された患者を、前記ＩＣカードから特定するＩＣ認識部をさらに備え、
前記情報取得部は、前記患者の資産情報を取得し、
前記制御部は、前記情報取得部が取得した前記資産情報に基づいて前記治療方法の候補を選定する、請求項１から１１のいずれか１項に記載の情報処理装置。
【請求項１３】
前記ＩＣカードは、クレジット一体型キャッシュカードであり、診察券でもある、請求項１２に記載の情報処理装置。
【請求項１４】
ユーザ操作に基づき、前記患者の疾患名を含む疾患情報が入力される表示制御部をさらに備え、
前記情報取得部は、疾患と前記疾患の治療方法が含まれる治療情報をさらに取得し、
前記制御部は、前記疾患情報と前記治療情報に基づき前記治療方法の候補を選定し、
前記表示制御部は、前記治療方法の候補を表示部に表示させる、請求項１から１３のいずれか１項に記載の情報処理装置。
【請求項１５】
患者の資産情報を取得する情報取得部と、
前記情報取得部が取得した前記資産情報に基づいて治療方法の候補を選定する制御部と、
を備えることを特徴とする情報処理システム。
【請求項１６】
患者の資産情報を取得することと、
前記資産情報に基づいて治療方法の候補を選定することと、
を含む、コンピュータにより実行される処理方法。
【請求項１７】
患者の資産情報を取得する機能と、
前記資産情報に基づいて治療方法の候補を選定する機能と、
をコンピュータに実現させるためのプログラム。
【発明の詳細な説明】
【技術分野】
【０００１】
本発明は、治療方法選定装置、治療方法選定システム、治療方法選定方法および治療方法選定プログラムに関する。
【背景技術】
【０００２】
近年、クレジット一体型キャッシュカードの機能を有した診察券（ＩＣカード）が研究開発されている。特許文献１には、医療機関において、決済機能をもつ診察券によって支払いが行われることで、患者が会計を待っている時間が短縮されることが示されている。
【０００３】
また、医療機関においては、適切な治療方法を選定する方法に関する研究開発も行われている。特許文献２には、病態別の治療方法の適正度を元に、治療方法が選定されることが示されており、特許文献３には、治療方法が保険適用内か否かを確認した上で、治療方法を選定することが示されている。
【先行技術文献】
【特許文献】
【０００４】
【特許文献１】特開２００６−２９３７５２号公報
【特許文献２】特開２０１０−１４０５１３号公報
【特許文献３】特開２００４−５５８８号公報
【発明の概要】
【発明が解決しようとする課題】
【０００５】
しかし、特許文献１の発明は、支払いの効率化にしか焦点を当てておらず、ＩＣカードから得られる情報が有効に活用されていない、という問題があった。また、特許文献２および特許文献３の発明は、患者の資産情報については考慮されていないため、不適切な治療方法が選定され得るという問題があった。
【０００６】
そこで、本発明は、上記問題に鑑みてなされたものであり、本発明の目的とするところは、患者の資産情報に基づいた治療方法の候補を選定することが可能な、新規かつ改良された情報処理装置を提供することにある。
【課題を解決するための手段】
【０００７】
上記課題を解決するために、本発明のある観点によれば、患者の資産情報を取得する情報取得部と、前記情報取得部が取得した前記資産情報に基づいて治療方法の候補を選定する制御部と、を備えることを特徴とする情報処理装置が提供される。
【０００８】
前記資産情報は、預金残高であり、前記制御部は、前記預金残高と所定の閾値を比較することで前記治療方法の候補を選定してもよい。
【０００９】
前記情報取得部は、前記患者の家族構成情報をさらに取得し、前記制御部は、前記家族構成情報を元に前記閾値を設定し、前記預金残高と前記閾値を比較することで前記治療方法の候補を選定してもよい。
【００１０】
前記情報取得部は、クレジットカードの利用情報をさらに取得し、前記制御部は、前記クレジットカードの利用情報を元に前記閾値を設定し、前記預金残高と前記閾値を比較することで前記治療方法の候補を選定してもよい。
【００１１】
前記情報取得部は、前記患者が加入している保険と、前記保険が適用可能な治療方法が含まれる保険情報をさらに取得し、前記制御部は、前記保険情報に基づいて前記治療方法の候補を選定してもよい。
【００１２】
前記情報取得部は、被験者を募集している治験および前記治験への参加条件が含まれる治験情報をさらに取得し、前記制御部は、前記治験情報に基づいて前記治療方法の候補を選定してもよい。
【００１３】
前記情報取得部は、治療方法リストをさらに取得し、前記制御部は、前記治療方法リストに基づいて前記治療方法の候補を選定してもよい。
【００１４】
前記制御部は、複数の前記治療方法の候補を選定してもよい。
【００１５】
前記制御部は、前記治療方法の候補毎に優先度を算出してもよい。
【００１６】
前記制御部は、前記治療方法リストに記載されている治療方法毎に優先度を算出してもよい。
【００１７】
前記制御部は、１個の前記治療方法の候補を選定してもよい。
【００１８】
ＩＣカードに登録された患者を、前記ＩＣカードから特定するＩＣ認識部をさらに備え、前記情報取得部は、前記患者の資産情報を取得し、前記制御部は、前記情報取得部が取得した前記資産情報に基づいて前記治療方法の候補を選定してもよい。
【００１９】
前記ＩＣカードは、クレジット一体型キャッシュカードであり、診察券であってもよい。
【００２０】
ユーザ操作に基づき、前記患者の疾患名を含む疾患情報が入力される表示制御部をさらに備え、前記情報取得部は、疾患と前記疾患の治療方法が含まれる治療情報をさらに取得し、前記制御部は、前記疾患情報と前記治療情報に基づき前記治療方法の候補を選定し、前記表示制御部は、前記治療方法の候補を表示部に表示させてもよい。
【００２１】
また、上記課題を解決するために、本発明の別の観点によれば、患者の資産情報を取得する情報取得部と、前記情報取得部が取得した前記資産情報に基づいて治療方法の候補を選定する制御部と、を備えることを特徴とする情報処理システムが提供される。
【００２２】
また、上記課題を解決するために、本発明の別の観点によれば、患者の資産情報を取得することと、前記資産情報に基づいて治療方法の候補を選定することと、を含む、コンピュータにより実行される処理方法が提供される。
【００２３】
また、上記課題を解決するために、本発明の別の観点によれば、患者の資産情報を取得する機能と、前記資産情報に基づいて治療方法の候補を選定する機能と、をコンピュータに実現させるためのプログラムが提供される。
【発明の効果】
【００２４】
以上説明したように本発明によれば、患者の資産情報に基づいた治療方法の候補を選定することが可能である。
【図面の簡単な説明】
【００２５】
【図１】本発明の実施形態における情報処理システムの構成を示す説明図である。
【図２】本実施形態における金融機関装置の構成を示す説明図である。
【図３】本実施形態における医療機関装置の構成を示す説明図である。
【図４】本実施形態における保険会社装置の構成を示す説明図である。
【図５】本実施形態におけるクレジットカード会社装置の構成を示す説明図である。
【図６】本実施形態におけるカードリーダーの構成を示す説明図である。
【図７】本実施形態における治療方法選定装置の構成を示す説明図である。
【図８】本実施形態において、治療方法選定装置の記憶部が備えるデータベースを示す説明図である。
【図９】本実施形態において、治療方法選定装置の記憶部が備えるデータベースを示す説明図である。
【図１０】本実施形態において、治療方法選定装置の記憶部が備えるデータベースを示す説明図である。
【図１１】本実施形態において、治療方法選定装置の記憶部が備えるデータベースを示す説明図である。
【図１２】本実施形態における各装置間の連携を示す説明図である。
【図１３】本実施形態において、治療方法の候補が選定される処理フローを示す説明図である。
【図１４】本実施形態において、治療方法の候補が選定される処理フローを示す説明図である。
【図１５】本実施形態において、治療方法の候補が選定される処理フローを示す説明図である。
【図１６】本実施形態において、治療方法の候補が選定される処理フローを示す説明図である。
【図１７】本実施形態において、治療方法選定装置の表示部を介して、治療方法の候補が選定されるときの画面遷移を示す説明図である。
【図１８】本実施形態において、治療方法選定装置の表示部を介して、治療方法の候補が選定されるときの画面遷移を示す説明図である。
【図１９】本実施形態において、治療方法選定装置の表示部を介して、治療方法の候補が選定されるときの画面遷移を示す説明図である。
【図２０】本実施形態において、治療方法選定装置の表示部を介して、治療方法の候補が選定されるときの画面遷移を示す説明図である。
【図２１】治療方法選定装置を実現し得る情報処理装置のハードウェア構成を示したブロック図である。
【発明を実施するための形態】
【００２６】
以降では、添付図面を参照しながら、本発明の実施の形態について詳細に説明する。なお、本明細書及び図面において、実質的に同一の機能構成を有する構成要素については、同一の符号を付することにより重複説明を省略する。
【００２７】
＜１．情報処理システムの概要＞
まず、図１を参照し、本発明の実施形態における情報処理システムの概要を説明する。図１は、本発明の実施形態における情報処理システムの構成を示す説明図である。図１に示すように、本発明の実施形態による情報処理システムは、治療方法選定装置１００と、金融機関装置２００と、医療機関装置３００と、保険会社装置４００と、クレジットカード会社装置５００と、カードリーダー６００と、を備える。治療方法選定装置１００、金融機関装置２００、医療機関装置３００、保険会社装置４００、クレジットカード会社装置５００およびカードリーダー６００は、ネットワーク７１０、７２０、７３０、７４０、７５０により接続される。
【００２８】
ネットワーク７１０、７２０、７３０、７４０、７５０（以下、単にネットワーク７００と総称する場合もある）は、ネットワーク７００に接続されている装置から送信される情報のための有線、または無線の伝送路である。例えば、ネットワーク７００は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク７００は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網や、Ｂｌｕｅｔｏｏｔｈ（登録商標）などの近距離無線通信網を含んでもよい。
【００２９】
治療方法選定装置１００は、医師および看護師などの医療関係者が、患者の治療方法の候補を選定するために使用する装置である。また、治療方法選定装置１００は、治療方法の候補を選定する機能以外の機能として、例えば、患者の健康状態や治療状況を管理する機能などを有してもよい。治療方法選定装置１００が設置される場所は、病院などの医療現場であり得るが、治療方法選定装置１００が設置される場所は、医療現場に限定されない。
【００３０】
金融機関装置２００は、患者が金融機関に預けている資産に関する情報を管理する情報処理装置である。具体的には、金融機関装置２００は、患者の預金残高、入出金に関する情報を管理する。本実施形態において、金融機関装置２００は、治療方法選定装置１００の要求に応じて、患者の預金残高などの資産情報を治療方法選定装置１００へ送信する。治療方法選定装置１００は、当該資産情報を用いて、患者へ提示する治療方法の候補を選定する。金融機関装置２００が設置される場所は、銀行などの金融機関であり得るが、金融機関装置２００が設置される場所は、金融機関に限定されない。
【００３１】
医療機関装置３００は、医療機関が保有する様々な情報を管理する情報処理装置である。具体的には、医療機関装置３００は、患者の属性、患者の健康状態、患者の治療履歴、治療方法および治験に関する情報を管理する。本実施形態において、医療機関装置３００は、治療方法選定装置１００の要求に応じて、上記の情報を治療方法選定装置１００へ送信する。本実施形態では、治療方法選定装置１００と医療機関装置３００は別の装置として記載されているが、治療方法選定装置１００と医療機関装置３００は一体化されてもよい。医療機関装置３００が設置される場所は、病院などの医療現場であり得るが、医療機関装置３００が設置される場所は、医療現場に限定されない。
【００３２】
保険会社装置４００は、患者が加入している保険に関する情報を管理する情報処理装置である。具体的には、保険会社装置４００は、患者の加入している保険の内容、当該保険で保障可能な治療方法および保障額などに関する保険情報を管理する。本実施形態において、保険会社装置４００は、治療方法選定装置１００の要求に応じて、保険情報を治療方法選定装置１００へ送信する。保険会社装置４００が設置される場所は、保険会社であり得るが、保険会社装置４００が設置される場所は、保険会社に限定されない。
【００３３】
クレジットカード会社装置５００は、患者が加入しているクレジットカードに関する情報を管理する情報処理装置である。具体的には、クレジットカード会社装置５００は、患者のクレジットカードの利用履歴（利用金額および利用日）などのクレジットカードの利用情報を管理する。本実施形態において、クレジットカード会社装置５００は、治療方法選定装置１００の要求に応じて、クレジットカードの利用情報を治療方法選定装置１００へ送信する。本実施形態では、クレジットカード会社装置５００と金融機関装置２００は別の装置として記載されているが、金融機関がクレジットカード事業も営んでいる場合などには、クレジットカード会社装置５００と金融機関装置２００は一体化されてもよい。クレジットカード会社装置５００が設置される場所は、クレジットカード会社であり得るが、クレジットカード会社装置５００が設置される場所は、クレジットカード会社に限定されない。
【００３４】
カードリーダー６００は、ＩＣカードからＩＣカードに登録された情報を読み取る装置である。本実施形態において、当該ＩＣカードは、クレジット一体型キャッシュカードとしても使用され、かつ、診察券としても使用されるカードである。カードリーダー６００がＩＣカードから読み取った情報を治療方法選定装置１００へ送信することで、治療方法選定装置１００は、ＩＣカードに登録された患者を特定し、当該患者の治療方法の候補を選定することができる。カードリーダー６００は、接触型ＩＣカードリーダーでもよく、非接触型ＩＣカードリーダーでもよい。カードリーダー６００が設置される場所は、病院などの医療現場であり得るが、カードリーダー６００が設置される場所は、医療現場に限定されない。
【００３５】
＜２．各情報処理装置の構成＞
以上では、本実施形態における、情報処理システムの概要を説明した。続いて、図２〜１１を参照し、本実施形態における、各情報処理装置の構成を説明する。
【００３６】
（金融機関装置２００の構成）
図２は、本実施形態における金融機関装置２００の構成を示す説明図である。図２に示すように、金融機関装置２００は、通信部２１０と、記憶部２２０と、制御部２３０と、を備える。
【００３７】
通信部２１０は、治療方法選定装置１００向けのインタフェースであり、治療方法選定装置１００から患者の資産情報のリクエストを受信し、当該資産情報を含むレスポンスを治療方法選定装置１００へ送信する。
【００３８】
記憶部２２０は、患者の資産情報などを記憶している。具体的には、記憶部２２０は、患者の属性、預金残高、入出金に関する情報などを記憶している。
【００３９】
制御部２２０は、治療方法の候補の選定に用いる患者の資産情報を、治療方法選定装置１００へ送信するための処理を行う。具体的には、制御部２２０は、通信部２１０が患者の資産情報のリクエストを治療方法選定装置１００から受信した場合、記憶部２２０から当該患者の資産情報を抽出し、通信部２１０にレスポンスとして資産情報を治療方法選定装置１００へ送信させる。制御部２２０は、セキュリティを向上させるために、治療方法選定装置１００から患者のログインＩＤおよびパスワードなどを受信することで認証を行ってもよい。認証が行われることにより、第三者が金融機関装置へ不正にアクセスし、患者の資産情報という重要な情報を不正に取得することを防ぐことができる。
【００４０】
（医療機関装置３００の構成）
図３は、本実施形態における医療機関装置３００の構成を示す説明図である。図３に示すように、医療機関装置３００は、通信部３１０と、記憶部３２０と、制御部３３０と、を備える。
【００４１】
通信部３１０は、治療方法選定装置１００向けのインタフェースであり、治療方法選定装置１００から患者や治験に関する情報などのリクエストを受信し、患者や治験に関する情報を含むレスポンスを治療方法選定装置１００へ送信する。
【００４２】
記憶部３２０は、患者情報記憶部３２１と、治療情報記憶部３２２と、治験情報記憶部３２３と、を備える。
【００４３】
患者情報記憶部３２１は、患者の属性情報を記憶する。具体的には、患者情報記憶部３２１は、患者の氏名、住所、年齢、性別、血液型、アレルギーの有無、病歴、持病、過去の治療履歴などの患者の属性情報を記憶する。
【００４４】
治療情報記憶部３２２は、疾患や疾患の治療方法に関する治療情報を記憶する。具体的には、治療情報記憶部３２２は、疾患名、治療方法、治療ができる医師、治療費、治療に必要な日数、入院の要否などに関する治療情報を記憶する。
【００４５】
治験情報記憶部３２３は、治験に関する情報を記憶する。具体的には、治験情報記憶部３２３は、被験者を募集している治験、前記治験への参加条件などに関する情報を記憶する。
【００４６】
制御部３３０は、治療方法の候補の選定に用いる、患者情報、治療情報や治験情報を治療方法選定装置１００へ送信するための処理を行う。具体的には、制御部３３０は、通信部３１０が各種情報のリクエストを治療方法選定装置１００から受信した場合、記憶部３２０から当該情報を抽出し、通信部３１０にレスポンスとして当該情報を治療方法選定装置１００へ送信させる。
【００４７】
（保険会社装置４００の構成）
図４は、本実施形態における保険会社装置４００の構成を示す説明図である。図４に示すように、保険会社装置４００は、通信部４１０と、記憶部４２０と、制御部４３０と、を備える。
【００４８】
通信部４１０は、治療方法選定装置１００向けのインタフェースであり、治療方法選定装置１００から患者が加入している保険情報のリクエストを受信し、当該保険情報を含むレスポンスを治療方法選定装置１００へ送信する。
【００４９】
記憶部４２０は、患者が加入している保険情報などを記憶している。具体的には、記憶部４２０は、患者が加入している保険の内容、当該保険で保障可能な治療方法および保障額に関する情報などを記憶している。
【００５０】
制御部４３０は、治療方法の候補の選定に用いる、患者が加入している保険情報を治療方法選定装置１００へ送信するための処理を行う。具体的には、制御部４３０は、通信部４１０が保険情報のリクエストを治療方法選定装置１００から受信した場合、記憶部４２０から当該患者が加入している保険情報を抽出し、通信部４１０にレスポンスとして保険情報を治療方法選定装置１００へ送信させる。制御部４３０は、セキュリティを向上させるために、治療方法選定装置１００から患者のログインＩＤおよびパスワードなどを受信することで認証を行ってもよい。認証が行われることにより、第三者が保険会社装置へ不正にアクセスし、患者が加入している保険情報という重要な情報を不正に取得することを防ぐことができる。
【００５１】
（クレジットカード会社装置５００の構成）
図５は、本実施形態におけるクレジットカード会社装置５００の構成を示す説明図である。図５に示すように、クレジットカード会社装置５００は、通信部５１０と、記憶部５２０と、制御部５３０と、を備える。
【００５２】
通信部５１０は、治療方法選定装置１００向けのインタフェースであり、治療方法選定装置１００から患者のクレジットカードの利用明細に関する情報のリクエストを受信し、当該情報を含むレスポンスを治療方法選定装置１００へ送信する。
【００５３】
記憶部５２０は、患者のクレジットカードの利用情報を記憶している。具体的には、記憶部５２０は、患者のクレジットカードの利用履歴（利用金額および利用日）などを記憶している。
【００５４】
制御部５３０は、治療方法の候補の選定に用いる患者のクレジットカードの利用情報を、治療方法選定装置１００へ送信するための処理を行う。具体的には、制御部５３０は、通信部５１０が患者のクレジットカードの利用情報のリクエストを治療方法選定装置１００から受信した場合、記憶部５２０から当該患者のクレジットカードの利用情報を抽出し、通信部５１０にレスポンスとしてクレジットカードの利用情報を治療方法選定装置１００へ送信させる。制御部５３０は、セキュリティを向上させるために、治療方法選定装置１００から患者のログインＩＤおよびパスワードなどを受信することで認証を行ってもよい。認証が行われることにより、第三者がクレジットカード会社装置へ不正にアクセスし、患者のクレジットカードの利用情報という重要な情報を不正に取得することを防ぐことができる。
【００５５】
（カードリーダー６００の構成）
図６は、本実施形態におけるカードリーダー６００の構成を示す説明図である。図６に示すように、カードリーダー６００は、通信部６１０と、ＩＣ認識部６２０と、制御部６３０と、を備える。
【００５６】
通信部６１０は、治療方法選定装置１００向けのインタフェースであり、ＩＣカードから読み取った情報を治療方法選定装置１００へ送信する。
【００５７】
ＩＣ認識部６２０は、ＩＣカードからＩＣカードに登録された情報を読み取り、読み取った情報を制御部６３０へ送信する。
【００５８】
制御部６３０は、ＩＣ認識部６２０が読み取った情報を受信すると、通信部６２０に当該情報を治療方法選定装置１００へ送信させる。
【００５９】
（治療方法選定装置１００の構成）
図７は、本実施形態における治療方法選定装置１００の構成を示す説明図である。図７に示すように、治療方法選定装置１００は、情報取得部１１０と、ＩＣ認識部１２０と、表示部１３０と、表示制御部１４０と、記憶部１５０と、制御部１６０と、を備える。
【００６０】
情報取得部１１０は、金融機関装置２００、医療機関装置３００、保険会社装置４００、クレジットカード会社装置５００向けのインタフェースであり、各種情報のリクエストを各装置へ送信し、レスポンスを各装置から受信する。また、情報取得部１１０は、治療方法リストを取り込む機能も有している。治療方法リストとは、基本的に医療関係者が作成するもので、患者に対して行う治療方法が少なくとも１個記載された電子ファイルである。治療方法リストには、少なくとも治療方法を特定するための識別子が含まれ、当該識別子以外にも治療方法名などが含まれてもよい。情報取得部１１０が治療方法リストを取り込むことによって、制御部１６０が治療方法リストに基づいて、治療方法の候補を選定できる。
【００６１】
ＩＣ認識部１２０は、カードリーダー６００から受信した、ＩＣカードから読み取った情報を元に、ＩＣカードに登録された患者を特定する。具体的には、ＩＣ認識部１２０は、ＩＣカードから読み取った情報に含まれるＩＤおよびパスワードなどの情報を、ＩＣ認識部１２０が保持している各患者のＩＤおよびパスワードなどの情報と比較することで、ＩＣカードに登録された患者を特定する。ＩＣ認識部１２０が特定した患者に関する情報は、制御部１６０へ送信され、制御部１６０の各処理に利用される。なお、ＩＣ認識部１２０は、ＩＣカード認証システムとして個別に構築され得る。
【００６２】
表示部１３０は、表示制御部１４０に制御されることによって、医療関係者が治療補法選定装置１００をＧＵＩ（Ｇｒａｐｈｉｃａｌ  Ｕｓｅｒ  Ｉｎｔｅｒｆａｃｅ）で操作するための操作画像を表示する。なお、表示部１３０は、液晶ディスプレイやＯＬＥＤ（Ｏｒｇａｎｉｃ  Ｌｉｇｈｔ  Ｅｍｉｔｔｉｎｇ  Ｄｉｏｄｅ）などの、オブジェクトを表示できるものであればよい。
【００６３】
表示制御部１４０は、医療関係者が治療補法選定装置１００をＧＵＩで操作するために、表示部１３０へ画像および映像などを表示させる。また、医療関係者が表示制御部１４０を介して操作を行った場合は、表示制御部１４０は、操作の内容を制御部１６０へ送信する。医療関係者が治療補法選定装置１００をＧＵＩで操作する態様の詳細は、「８．変形例」へ記載する。
【００６４】
記憶部１５０は、情報取得部１１０が取得した情報などを記憶する。具体的には、記憶部１５０は、情報取得部１１０が、金融機関装置２００、医療機関装置３００、保険会社装置４００およびクレジットカード会社装置５００から取得した情報を記憶する。また、記憶部１５０は、治療方法リストや、治療方法選定装置１００が出力した治療方法の候補などの情報を記憶してもよい。
【００６５】
ここで、図８〜図１１を参照しながら、記憶部１５０が記憶する各種情報を説明する。まず、図８は、情報取得部１１０が医療機関装置３００から取得した患者の属性情報の説明図である。具体的には、記憶部１５０は、患者を識別するための患者ＩＤ、氏名、生年月日、性別、血液型、アレルギーの内容、家族の人数および扶養人数などを記憶する。
【００６６】
次に、図９は、情報取得部１１０が金融機関装置２００およびクレジットカード会社装置５００から取得した患者の資産情報およびクレジットカードの利用情報の説明図である。具体的には、記憶部１５０は、金融機関ＩＤ、金融機関名、預金残高およびクレジットカードの利用履歴（利用金額および利用日）などを記憶する。図９に記載しているように、患者の資産情報およびクレジットカードの利用情報は、患者ＩＤによって患者と関連づけて記憶される。
【００６７】
図１０は、情報取得部１１０が保険会社装置４００から取得した患者が加入している保険情報の説明図である。具体的には、記憶部１５０は、保険会社名、保険ＩＤ、保険名、保険が適用可能な疾患名、保障金（一時金）、保障金（入院給付金）、保障金（手術給付金）などを記憶する。図１０に記載されているように、１個の保険が複数の疾患へ適用され得る場合は、適用可能な疾患の数だけレコードが増える。また、患者が加入している保険情報は、患者ＩＤによって患者と関連づけて記憶される。
【００６８】
図１１は、情報取得部１１０が医療機関装置３００から取得した治験情報の説明図である。具体的には、記憶部１５０は、治験ＩＤ、治験名、治験の対象疾患、治験の対象薬および治験への応募条件などを記憶する。治験への応募条件は、例えば、年齢の下限値、年齢の上限値、性別などが挙げられるが、治験への応募条件は、患者の属性情報であれば何でもよい。
【００６９】
図示していないが、記憶部１５０は、情報取得部１１０が医療機関装置３００から取得した治療情報も記憶する。具体的には、記憶部１５０は、治療方法の名称、対象の疾患名、治療費、入院の要否、治療を受けられる患者の条件などを記憶する。
【００７０】
制御部１６０は、治療方法の候補を選定するための処理を行う。具体的には、制御部１６０は、ＩＣ認識部１２０が特定した患者に関する各種情報を、情報取得部１１０に外部の装置から取得させる。加えて、制御部１６０は、情報取得部１１０に医療関係者が作成した治療方法リストを取り込ませる。
【００７１】
次に、制御部１６０は、情報取得部１１０が取得した各種情報と治療方法リストに基づいて、治療方法の候補を選定する。具体的には、制御部１６０は、患者の資産情報、クレジットカードの利用情報、患者が加入している保険情報や治験情報に基づいて、治療方法リストの中から一つの、または複数個の治療方法を選定する。また、制御部１６０は、選定した治療方法に優先度を付加してもよい。さらに、制御部１６０は、治療方法リストを優先度順に並び替えてもよい。治療方法の候補の選定処理に関する詳細な説明は、以降の「３．情報処理システムの動作」〜「８．変形例」へ記載する。
【００７２】
そして、制御部１６０は、選定した治療方法の候補を表示制御部１４０へ送信し、表示制御部１４０が当該治療方法の候補を表示部１３０へ表示される。治療方法の候補を出力する方法は、上記以外にも、特定のファイルへ出力する方法や、音声出力装置へ出力する方法でもよい。
【００７３】
＜３．情報処理システムの動作＞
以上では、本実施形態における、各情報処理装置の構成を説明した。続いて、図１２を参照し、情報処理システムの動作を説明する。図１２は、本実施形態における各装置間の連携を示す説明図である。
【００７４】
図１２に示すように、医療関係者が、ＩＣカードに登録された情報をカードリーダー６００のＩＣ認識部６２０に読み取らせる（Ｓ１０１）。次に、カードリーダー６００の制御部６２０が、通信部６１０に、ＩＣカードから読み取ったＩＣカード情報を治療方法選定装置１００へ送信させる（Ｓ１０２）。
【００７５】
治療方法選定装置１００のＩＣ認識部１２０がＩＣカード情報を受信すると、ＩＣ認識部１２０がＩＣカードに登録されている患者を特定する。制御部１６０が、ＩＣ認識部１２０が特定した患者に関する情報を受信すると、情報取得部１１０に、当該患者の患者情報要求を医療機関装置３００へ送信させる（Ｓ１０３）。医療機関装置３００の通信部３１０が患者情報要求を受信すると、制御部３３０が患者情報記憶部３２１から当該患者に関する情報を取得し、通信部３１０に当該患者情報を治療方法選定装置１００へ送信させる（Ｓ１０４）。治療方法選定装置１００の情報取得部１１０が医療機関装置３００から患者情報を受信すると、制御部１６０は、患者情報を記憶部１５０に記憶させる。
【００７６】
制御部１６０が、情報取得部１１０に、患者の資産情報要求を金融機関装置２００へ送信させる（Ｓ１０５）。金融機関装置２００の通信部２１０が患者の資産情報要求を受信すると、制御部２３０が記憶部２２０から当該患者の資産情報を取得し、通信部２１０に当該患者の資産情報を治療方法選定装置１００へ送信させる（Ｓ１０６）。治療方法選定装置１００の情報取得部１１０が金融機関装置２００から資産情報を受信すると、制御部１６０は、資産情報を記憶部１５０に記憶させる。
【００７７】
制御部１６０が、情報取得部１１０に、患者のクレジットカードの利用情報要求を、クレジットカード会社装置５００へ送信させる（Ｓ１０７）。クレジットカード会社装置５００の通信部５１０が患者のクレジットカードの利用情報要求を受信すると、制御部５３０が記憶部５２０から当該患者のクレジットカードの利用情報を取得し、通信部５１０に当該患者のクレジットカードの利用情報を治療方法選定装置１００へ送信させる（Ｓ１０８）。治療方法選定装置１００の情報取得部１１０がクレジットカード会社装置５００からクレジットカードの利用情報を受信すると、制御部１６０は、クレジットカードの利用情報を記憶部１５０に記憶させる。
【００７８】
制御部１６０が、情報取得部１１０に、患者が加入している保険情報要求を、保険会社装置４００へ送信させる（Ｓ１０９）。保険会社装置４００の通信部４１０が保険情報要求を受信すると、制御部４３０が記憶部４２０から保険情報を取得し、通信部４１０に保険情報を治療方法選定装置１００へ送信させる（Ｓ１１０）。治療方法選定装置１００の情報取得部１１０が保険会社装置４００から保険情報を受信すると、制御部１６０は、保険情報を記憶部１５０に記憶させる。
【００７９】
制御部１６０が、情報取得部１１０に、治験情報要求を、医療機関装置３００へ送信させる（Ｓ１１１）。医療機関装置３００の通信部３１０が治験情報要求を受信すると、制御部３３０が治験情報記憶部３２３から治験情報を取得し、通信部３１０に治験情報を治療方法選定装置１００へ送信させる（Ｓ１１２）。治療方法選定装置１００の情報取得部１１０が医療機関装置３００から治験情報を受信すると、制御部１６０は、治験情報を記憶部１５０に記憶させる。
【００８０】
制御部１６０が、情報取得部１１０に、治療情報要求を医療機関装置３００へ送信させる（Ｓ１１３）。医療機関装置３００の通信部３１０が治療情報要求を受信すると、制御部３３０が治療情報記憶部３２２から治療情報を取得し、通信部３１０に当該治療情報を治療方法選定装置１００へ送信させる（Ｓ１１４）。治療方法選定装置１００の情報取得部１１０が医療機関装置３００から治療情報を受信すると、制御部１６０は、治療情報を記憶部１５０に記憶させる。
【００８１】
さらに、医療関係者が、Ｓ１０４で取得された患者情報およびＳ１１４で取得された治療情報を元に、治療方法リストを作成する。具体的には、医療関係者は、患者の病歴や治療履歴、アレルギーの有無などの患者情報と、疾患に対応する治療方法、治療ができる医師、治療費、治療に必要な日数、入院の要否などの治療情報に基づいて、検討すべき治療方法が列挙されたファイルを作成する。当該治療方法リストは、少なくとも治療方法が識別できる情報を含んでいれば、他に何の情報を含んでもよい。治療方法リストが作成された後に、医療関係者は、当該治療方法リストを治療方法選定装置１００の情報取得部１１０に取り込ませる（Ｓ１１５）。
【００８２】
そして、治療方法選定装置１００の制御部１６０は、治療方法の候補の選定を行い（Ｓ１１６）、選定された治療方法の候補が出力されて（Ｓ１１７）、処理が完了となる。
【００８３】
ここで、選定された治療方法の候補は、治療方法選定装置１００の表示部１３０へ出力される。治療方法の候補が表示部１３０へ出力されることで、医療関係者は、ＧＵＩで簡易に治療法の候補を確認することができる。また、選定された治療方法の候補は、ＣＳＶ形式のファイルなどの任意のファイルへ出力されてもよい。治療方法の候補が任意のファイルへ出力されることで、治療方法選定装置１００に表示部１３０および表示制御部１４０が備わっていない場合でも、医療関係者は治療方法の候補を確認することができる。また、当該ファイルを他のシステムへ連携させることで、治療方法の候補に関する情報を他のシステムで有効活用することができる。
【００８４】
ここで、図１２に示されている、治療方法選定装置１００が各情報を他の装置へ要求する処理（Ｓ１０３、Ｓ１０５、Ｓ１０７、Ｓ１０９、Ｓ１１１およびＳ１１３）は順不同である。したがって、治療方法選定装置１００が各情報を他の装置から受信する処理（Ｓ１０４、Ｓ１０６、Ｓ１０８、Ｓ１１０、Ｓ１１２およびＳ１１４）も順不同である。
【００８５】
また、Ｓ１０３、Ｓ１０５、Ｓ１０７、Ｓ１０９、Ｓ１１１およびＳ１１３のうち、いずれかを省略することが可能である。具体的には、治療方法選定装置１００の記憶部１５０が、患者の患者情報、資産情報、クレジットカードの利用情報、保険情報、治験情報および治療情報のいずれかを記憶している場合には、制御部１６０は、各情報を他の装置へ要求しなくても、記憶部１５０から各情報を取得してもよい。治療方法選定装置１００と他の装置との通信が発生しないため、ネットワーク７００への負荷を軽減することができ、また、ネットワーク７００に障害が発生している場合においても、治療方法の候補を選定する処理を行うことができる。
【００８６】
さらに、記憶部１５０が、患者情報および治療情報を記憶している場合、または、医療関係者が、患者情報や治療情報を把握している場合においては、Ｓ１０３およびＳ１１３は省略できるため、治療方法リストの作成（Ｓ１１５）は、Ｓ１０５、Ｓ１０７、Ｓ１０９およびＳ１１１と順不同となり得る。
【００８７】
＜４．第１の動作例＞
以上では、本実施形態における、情報処理システムの動作を説明した。続いて、図１３を参照し、本実施形態において、図１２における治療方法の候補の選定処理（Ｓ１１６）の詳細を説明する。図１３は、第１の動作例として、治療方法選定装置１００が、患者の資産情報に基づいて治療方法の候補を選定する動作を示している。
【００８８】
図１３に記載されているように、制御部１６０は、治療方法リストを参照し、優先度が最も高い治療方法を選択する（Ｓ２０１）。そして、制御部１６０は、当該治療方法の治療費と、患者の預金残高を記憶部１５０から取得し、治療費と預金残高の情報に基づいて、患者が十分な資産をもっていると判定した場合には（Ｓ２０２／ＹＥＳ）、当該治療方法を治療方法の候補として選定する（Ｓ２０３）。具体的には、制御部１６０は、患者の預金残高から治療費を引いて得られる値が、予め設定された閾値を上回った場合に、当該治療方法を治療方法の候補として選定する。
【００８９】
また、制御部１６０は、患者が十分な資産をもっていると判定されなかった場合には（Ｓ２０２／ＮＯ）、当該治療方法を治療方法の候補として選定しない。具体的には、制御部１６０は、患者の預金残高から治療費を引いて得られる値が、予め設定された閾値を上回らなかった場合には、当該治療方法を治療方法の候補として選定しない。そして、制御部１６０は、治療方法リストを参照し、優先度が次に高い治療方法を用いてＳ２０２の処理を行う。第１の動作例により、治療方法選定装置１００は、患者の資産を考慮して治療方法の候補を選定することができる。
【００９０】
ここで、上記の閾値は、任意に設定され得る。例えば、閾値は、成人の平均生活費の６か月分に設定されてもよい。これにより、治療方法選定装置１００は、治療後に患者が約６か月間生活できる程度の預金が残るように、治療方法の候補を選定することができる。もちろん閾値は、６か月以外の期間の平均生活費が設定されてもよい。
【００９１】
＜５．第２の動作例＞
以上では、本実施形態における、第１の動作例を説明した。続いて、図１４を参照し、図１２における治療方法の候補の選定処理（Ｓ１１６）における、第２の動作例を説明する。
【００９２】
図１４に示すように、第２の動作例が第１の動作例と異なる点は、治療方法選定装置１００の制御部１６０が、情報取得部１１０により取得された各情報に基づいて、処理に用いる閾値を設定する点（Ｓ３０１）である。具体的には、制御部１６０は、患者情報の一つである、患者の家族の人数に基づいて閾値を設定する。例えば、制御部１６０は、家族構成毎の生活費の全国平均値を用いて、患者家族の生活費を推計し、その生活費の数か月分と同一の値を閾値として設定する。ここで、家族構成毎の生活費の全国平均値は、総務省が行っている家計調査など、何等かの統計情報を元に設定され得る。第２の動作例により、治療方法選定装置１００は、患者の家族構成に基づいた生活費を考慮して治療方法の候補を選定することができる。
【００９３】
また、制御部１６０は、クレジットカードの利用情報に基づいて閾値を設定してもよい
。具体的には、制御部１６０は、患者のクレジットカードの利用情報に含まれている、クレジットカードの利用履歴を元に、患者のクレジットカードの支払金額の月平均値を算出する。そして、制御部１６０は、クレジットカードの支払金額の月平均値を、患者家族の生活費の月平均値とし、制御部１６０は、クレジットカードの支払金額の月平均値の数か月分と同一の値を閾値として設定する。患者が生活費の多くをクレジットカードで支払っている場合に、患者の生活の実態を考慮して、治療方法の候補を選定することができる。
【００９４】
仮に、治療方法選定装置１００が、患者の毎月の出金額に関する情報を金融機関装置２００から取得することができれば、制御部１６０は、当該情報に基づいて閾値を設定してもよい。具体的には、制御部１６０は、患者の毎月の出金額に関する情報に基づいて、出金額の月平均値を算出する。そして、制御部１６０は、出金額の月平均値を、患者家族の生活費の月平均値とし、制御部１６０は、出金額の月平均値の数か月分と同一の値を閾値として設定する。多くの患者は、現金とクレジットカードで生活費を支払っていると考えられるため、患者の生活の実態を考慮して、治療方法の候補を選定することができる。
【００９５】
第２の動作例の処理のうち、図１４に記載されているＳ３０２〜Ｓ３０５は、第１の動作例と同一の内容であるため、詳細な説明は省略する。
【００９６】
＜６．第３の動作例＞
以上では、本実施形態における、第２の動作例を説明した。続いて、図１５を参照し、図１２における治療方法の候補の選定処理（Ｓ１１６）における、第３の動作例を説明する。
【００９７】
図１５に示すように、第３の動作例が第２の動作例と異なる点は、治療方法選定装置１００の制御部１６０は、治療方法が、患者の保険の適用内か否かという判定（Ｓ４０３）を行っている点である。
【００９８】
制御部１６０は、図１５のＳ４０３において、治療方法リストから選択した治療方法が、患者が加入している保険の適用内であれば（Ｓ４０３／ＹＥＳ）、当該治療方法を治療方法の候補として選定する（Ｓ４０４）。制御部１６０は、治療方法リストから選択した治療方法が、患者が加入している保険の適用内でなければ（Ｓ４０３／ＮＯ）、当該治療方法を治療方法の候補として選定しない。第３の動作例により、治療方法選定装置１００は、患者が加入している保険を考慮して治療方法の候補を選定することができる。
【００９９】
第３の動作例の処理のうち、図１５に記載されているＳ４０１、Ｓ４０２およびＳ４０４〜Ｓ４０６は、第２の動作例と同一の内容であるため、詳細な説明は省略する。
【０１００】
第３の動作例において、保険情報による判定（Ｓ４０３）と資産情報による判定（Ｓ４０５）の処理順は、資産情報および保険情報の重要度に応じて、入れ替えても良い。具体的には、治療方法選定装置１００は、より重要度が高い情報を用いた処理を先に行うことで、各情報の重要度に応じて治療方法の候補を選定することができる。
【０１０１】
＜７．第４の動作例＞
以上では、本実施形態における、第３の動作例を説明した。続いて、図１６を参照し、図１２における治療方法の候補の選定処理（Ｓ１１６）における、第４の動作例を説明する。
【０１０２】
図１６に示すように、第４の動作例が第３の動作例と異なる点は、治療方法に治験を適用することが可能か否かという判定（Ｓ５０６）が行われている点である。
【０１０３】
第４の動作例の処理のうち、図１６に記載されているＳ５０１〜Ｓ５０５およびＳ５０７は、第３の動作例と同一の内容であるため、詳細な説明は省略する。
【０１０４】
図１６のＳ５０６において、制御部１６０は、治療方法リストから選択した治療方法に、治験を適用することが可能であれば（Ｓ５０６／ＹＥＳ）、当該治療方法を治療方法の候補として選定する（Ｓ５０４）。また、制御部１６０は、治療方法リストから選択した治療方法に、治験を適用することが可能でない場合には（Ｓ５０６／ＮＯ）、当該治療方法が当該治療方法を治療方法の候補として選定しない。第４の動作例により、治療方法選定装置１００は、治験情報を考慮して治療方法の候補を選定することができる。
【０１０５】
第４の動作例において、保険情報による判定（Ｓ５０３）、資産情報による判定（Ｓ５０５）および治験情報による判定（Ｓ５０６）の処理順は、資産情報、保険情報および治験情報の重要度に応じて、入れ替えても良い。具体的には、治療方法選定装置１００は、より重要度が高い情報を用いた処理を先に行うことで、各情報の重要度に応じて治療方法の候補を選定することができる。
【０１０６】
ここで、第１〜４の動作例における処理の中で、制御部１６０が選定する、治療方法の候補は複数個でもよい。これにより、医療関係者が、選定された複数個の治療方法の候補の中から、適切な治療方法を決定することができる。例えば、検討されるべき治療方法が多すぎる時に、治療方法を絞ることができるため、医療関係者が治療方法を決定しやすい。また、複数個の治療方法が選定される場合には、治療方法選定装置１００は、各治療方法に優先度を付加してもよい。さらに、制御部１６０は、治療方法リストに記載されている治療方法を優先度順に並び替えてもよい。
【０１０７】
優先度の設定方法は、例えば、前述の判定結果に基づいて決定され得る。具体的には、優先度の設定方法は、第４の動作（図１６を参照）において、保険情報による判定をパス（Ｓ５０３／ＹＥＳ）した治療方法、資産情報による判定をパス（Ｓ５０５／ＹＥＳ）した治療方法、治験情報による判定をパス（Ｓ５０５／ＹＥＳ）した治療方法、という順に高い優先度が付加される方法でもよい。または、優先度の設定方法は、患者の預金残高から治療費を引いて得られる値が高い順に、高い優先度が付加される方法でもよい。
【０１０８】
また、制御部１６０は、治療方法の候補を１個選定してもよい。この場合は、医療関係者が判断することなく、治療方法を決定することができる。
【０１０９】
＜８．変形例＞
以上では、本実施形態における、第１〜４の動作例を説明した。続いて、図１７〜図２０を参照しながら、本実施形態における、変形例として、医療関係者が表示部１３０を介して治療補法選定装置１００をＧＵＩで操作し、治療補法選定装置１００に治療方法の候補を選定させる態様について説明する。ここで、第１〜４の動作例では、治療方法リストの入力は医療関係者によって行われていたが、変形例では、治療方法選定装置１００の制御部１６０が、医療関係者を介さずに、治療方法リストの入力を行う。
【０１１０】
図１７に示すように、治療方法選定装置１００の表示１３０が表示している画面（Ｄ１１０）には、患者情報が表示されている画面（Ｄ１１１）と治療情報の候補を選定するための画面（Ｄ１１２）が含まれる。Ｄ１１２には、疾患名と疾患の区分１および区分２が入力できるプルダウンリスト（Ｂ１１０〜Ｂ１１２）が設けられている。医療関係者は、プルダウンリストを用いて、疾患や疾患の区分を選択できる。疾患などの指定方法は、プルダウンリストによる指定方法に限定されず、テキストボックスに疾患名などが記入されることで指定される方法であってもよい。
【０１１１】
図１８に示すように、医療関係者が、疾患および疾患の区分を指定して、治療方法選定ボタン（Ｂ１１３）を押下すると、図１９に示すように、治療方法の候補に優先度が付加された状態で表示される画面（Ｄ１３２）へ遷移する。治療方法選定ボタン（Ｂ１１３）を押下した時に行われる処理は、前述の第１〜４の動作例で説明した処理のいずれかであり得る。ここで、治療方法リストの入力は、医療関係者を介さずに、治療方法選定装置１００の制御部１６０によって行われる。制御部１６０が治療方法リストを入力することにより、医療関係者が治療方法リストを作成する作業が不要となり、治療方法の候補を選定するスピードが向上する。治療方法リストを作成する処理は、例えば、図１８で指定された疾患を治療する方法が、治療情報から抽出され、さらに、患者の持病や治療履歴などの患者情報によって、再抽出が行われる処理などが考え得る。
【０１１２】
また、医療関係者は、治療方法の各候補の詳細ボタンを押下すると、図２０に示すように、治療方法の候補の詳細情報が確認できる。変形例においては、ＧＵＩより治療方法の候補を選定できるため、医療関係者が、治療方法選定装置１００の操作に慣れていない場合でも、簡易に治療方法選定装置１００を操作することができる。
【０１１３】
＜９．ハードウェア構成＞
以上、本発明の実施形態における情報処理システムについて説明した。上述した情報処理システムにおける、治療方法候補の選定などの情報処理は、ソフトウェアと、以下に説明する治療方法選定装置１００のハードウェアとの協働により実現される。
【０１１４】
図２１は、治療方法選定装置１００を実現し得る情報処理装置９００のハードウェア構成を示したブロック図である。情報処理装置９００は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４と、を備える。また、情報処理装置９００は、ブリッジ９０５と、外部バス９０６と、インタフェース９０７と、入力装置９０８と、表示装置９０９と、音声出力装置９１０と、ストレージ装置９１１と、ドライブ９１２と、ネットワークインタフェース９１３とを備える。
【０１１５】
ＣＰＵ９０１は、演算処理装置および制御装置として機能し、各種プログラムに従って情報処理装置９００内の動作全般を制御する。また、ＣＰＵ９０１は、マイクロプロセッサであってもよい。ＲＯＭ９０２は、ＣＰＵ９０１が使用するプログラムや演算パラメータなどを記憶する。ＲＡＭ９０３は、ＣＰＵ９０１の実行において使用するプログラムや、その実行において適宜変化するパラメータなどを一時記憶する。これらはＣＰＵバスなどから構成されるホストバス９０４により相互に接続されている。
【０１１６】
ホストバス９０４は、ブリッジ９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９０６に接続されている。なお、必ずしもホストバス９０４、ブリッジ９０５および外部バス９０６を分離構成する必要はなく、１つのバスにこれらの機能を実装してもよい。
【０１１７】
入力装置９０８は、マウス、キーボード、タッチパネル、ボタン、マイクロフォン、スイッチおよびレバーなどユーザが情報を入力するための入力手段と、ユーザによる入力に基づいて入力信号を生成し、ＣＰＵ９０１に出力する入力制御回路などから構成されている。情報処理装置９００を操作するユーザは、該入力装置９０８を操作することにより、情報処理装置９００に対して各種のデータを入力したり処理動作を指示したりすることができる。
【０１１８】
表示装置９０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。また、音声出力装置９１０は、スピーカおよびヘッドホンなどの音声出力装置を含む。
【０１１９】
ストレージ装置９１１は、本実施形態にかかる治療方法選定装置１００の記憶部の一例として構成されたデータ格納用の装置である。ストレージ装置９１１は、記憶媒体、記憶媒体にデータを記録する記録装置、記憶媒体からデータを読み出す読出し装置および記憶媒体に記録されたデータを削除する削除装置などを含んでもよい。ストレージ装置９１１は、例えば、ＨＤＤ（Ｈａｒｄ  Ｄｉｓｋ  Ｄｒｉｖｅ）で構成される。このストレージ装置９１１は、ハードディスクを駆動し、ＣＰＵ９０１が実行するプログラムや各種データを格納する。
【０１２０】
ドライブ９１２は、記憶媒体用リーダライタであり、情報処理装置９００に内蔵、あるいは外付けされる。ドライブ９１２は、装着されている磁気ディスク、光ディスク、光磁気ディスク、または半導体メモリなどのリムーバブル記憶媒体９１４に記録されている情報を読み出して、ＲＡＭ９０３に出力する。また、ドライブ９１２は、リムーバブル記憶媒体９１４に情報を書き込むこともできる。
【０１２１】
ネットワークインタフェース９１３は、例えば、ネットワーク５００に接続するための通信デバイスなどで構成された通信インタフェースである。また、ネットワークインタフェース９１３は、無線ＬＡＮ（Ｌｏｃａｌ  Ａｒｅａ  Ｎｅｔｗｏｒｋ）対応通信装置であっても、有線による通信を行うワイヤー通信装置であってもよい。
【０１２２】
なお、上記では図２１を参照して治療方法選定装置１００を実現し得る情報処理装置９００のハードウェア構成について説明したが、金融機関装置２００、医療機関装置３００、保険会社装置４００、クレジットカード会社装置５００およびカードリーダー６００のハードウェアも治療方法選定装置１００と実質的に同一に構成することが可能であるため、説明を省略する。
【０１２３】
＜１０．むすび＞
以上説明したように、本発明は、患者の資産情報、クレジットカードの利用情報、患者が加入している保険情報および治験に関する情報などを用いて、治療方法の候補を選定することが可能である。したがって、本発明は、患者の資産情報に基づいた治療方法の候補を選定することが可能である。
【０１２４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２５】
例えば、本明細書の情報処理システムの処理における各ステップは、必ずしもシーケンス図として記載された順序に沿って時系列に処理する必要はない。例えば、情報処理システムの処理における各ステップは、シーケンス図として記載した順序と異なる順序で処理されても、並列的に処理されてもよい。
【０１２６】
また、情報処理装置９００に内蔵されるＣＰＵ９０１、ＲＯＭ９０２およびＲＡＭ９０３などのハードウェアに、上述した治療方法選定装置１００の各構成と同等の機能を発揮させるためのコンピュータプログラムも作成可能である。
【符号の説明】
【０１２７】
１００    治療方法選定装置
１１０    情報取得部
１２０    ＩＣ認識部
１３０    表示部
１４０    表示制御部
１５０    記憶部
１６０    制御部
２００    金融機関装置
３００    医療機関装置
４００    保険会社装置
５００    クレジットカード会社装置
６００    カートリーダー
７００    ネットワーク
【図１】
2017151600.tif 000003
【図２】
2017151600.tif 000004
【図３】
2017151600.tif 000005
【図４】
2017151600.tif 000006
【図５】
2017151600.tif 000007
【図６】
2017151600.tif 000008
【図７】
2017151600.tif 000009
【図８】
2017151600.tif 000010
【図９】
2017151600.tif 000011
【図１０】
2017151600.tif 000012
【図１１】
2017151600.tif 000013
【図１２】
2017151600.tif 000014
【図１３】
2017151600.tif 000015
【図１４】
2017151600.tif 000016
【図１５】
2017151600.tif 000017
【図１６】
2017151600.tif 000018
【図１７】
2017151600.tif 000019
【図１８】
2017151600.tif 000020
【図１９】
2017151600.tif 000021
【図２０】
2017151600.tif 000022
【図２１】
2017151600.tif 000023